(57)【要約】【課題】再生レート変換後のフレーム位置を所定の同期時点に一致させる。【解決手段】再生器３が再生を開始する記録媒体ＶＴ上の位置の調整に基づいて同期調整器６が第１映像信号から変換される第２映像信号の任意のフレーム位置を調整する。再生される第１映像信号から有効フレーム情報検出器４が有効フレーム情報を検出する。検出された有効フレーム情報に基づいて有効フレーム基準信号発生器７が有効フレーム基準信号Ｆｓを生成する。フレーム位置調整された第２映像信号の任意のフレーム位置が所定の同期時点に一致するように、位相調整器８が有効フレーム基準信号Ｆｓの位相を調整する。変換器１０は位相調整された有効フレーム基準信号Ｆｓに基づいて変換処理を行う。【選択図】  図１
2004180133.tif 000002
【特許請求の範囲】
【請求項１】
第１フレームレートを有する第１映像信号を、第２フレームレートを有する第２映像信号に変換する映像再生レート変換装置であって、前記第１映像信号として、その信号中に前記第２フレームレートのフレームデータが一部重複された形態で順次配置されるとともに重複配置されるこれら第２フレームレートのフレームデータの中で有効となるフレームデータを特定する有効フレーム情報が重畳された映像信号を取り扱う映像再生レート変換装置において、
前記第１映像信号が記録された記録媒体を再生する再生器と、
前記再生器が再生する前記第１映像信号を前記第２映像信号に変換する変換器と、
前記再生器が再生を開始する記録媒体上の位置の調整に基づいて、前記変換器により前記第１映像信号から変換されて出力される前記第２映像信号の任意のフレーム位置を調整する同期調整器と、
前記再生器により再生される前記第１映像信号から前記有効フレーム情報を検出する有効フレーム情報検出器と、
前記有効フレーム情報に基づいて、有効となるフレーム位置が選択的に他のフレーム位置と異なるパルス周期信号からなる有効フレーム基準信号を生成する有効フレーム基準信号発生器と、
前記同期調整器により調整された前記第２映像信号の任意のフレーム位置が所定の同期時点に一致するように、前記有効フレーム基準信号の位相を調整する位相調整器と、
を備えており、
前記変換器は、前記位相調整器によって位相調整された有効フレーム基準信号に基づいて、前記第１映像信号から前記有効フレームを取り出して前記第２映像信号に変換するものである、
ことを特徴とする映像再生レート変換装置。
【発明の詳細な説明】
【０００１】
【発明の属する技術分野】
本発明は、第１フレームレートを有する第１映像信号を、第２フレームレートを有する第２映像信号に変換する映像再生レート変換装置に関する。特に、第１映像信号として、その信号中に第２フレームレートのフレームデータが一部重複された形態で順次配置された第１映像信号を第２映像信号に変換する映像再生レート変換装置に関する。
【０００２】
【従来の技術】
従来から、フレームレートが変換された映像信号として、その信号中にフレームレート変換前の映像信号のフレームデータが一部重複された形態で順次配置された状態でフレームレート変換された映像信号がある。（例えば、特許文献１参照）
【０００３】
【特許文献１】
特開平１−４９３８８号公報（第２−３頁、第１図）
【０００４】
【発明が解決しようとする課題】
このようにしてフレームレート変換された映像信号を第１映像信号（第１フレームレートを有している）とし、元の映像信号を第２映像信号（第２フレームレートを有している）とする。この場合、第１映像信号を第２映像信号に逆変換することがある。このような逆変換は、従来、次のように実施される。
【０００５】
まず、第１映像信号が記録された記録媒体が再生器で再生される。再生された第１映像信号は映像フォーマット変換器に入力されてここで第２映像信号に変換される。変換処理は次のように実施される。第１映像信号中に一部重複された形態で順次配置された前記第２フレームレートのフレームデータの中から有効となるフレームデータが選択的に取り出される。そして、取り出された第２フレームレートのフレームデータが第２フレームレートに沿って順次読み出されることで第２映像信号に変換される。
【０００６】
しかしながら、従来の変換構成では、第２映像信号の任意のフレーム位置を所定の同期時点に精度高く一致させることができないという課題がある。これは、次のような理由によっている。
【０００７】
従来の変換構成においては、変換後における第２映像信号のフレーム位相は、記録媒体上における第１映像信号の再生開始点を前後に移動させることで調整される。このようにして変換後の第２映像信号のフレーム位相を調整する構成において第２映像信号の任意のフレーム位置を所定の同期時点に一致させるためには、第１映像信号の再生開始点を１フレームより短い時間間隔で微調整する必要がある。
【０００８】
しかしながら、第１映像信号の再生開始点の移動は、再生可能な最小単位でしか行うことができない。さらには、通常、第１映像信号で再生可能な最小単位は第１映像信号のフレーム単位となるうえ、第１映像信号は、１／３０秒単位で記録媒体に格納されている、もしくは１／３０秒単位で圧縮処理されたのち記録媒体に記録されている。そのため、第１映像信号を再生可能な最小単位は２フレーム（時間にして１／３０秒＝１／６０秒（１フレーム時間）×２）となる。
【０００９】
このように、微小単位で調整することができない第１映像信号の再生開始点の移動に基づいて実施される従来の第２映像信号の位相調整では、第２映像信号の任意のフレーム位置を所定の同期時点に精度高く一致させることができない。
【００１０】
したがって、本発明の主たる目的は、再生レート変換後の任意のフレーム位置を所定の同期時点に精度高く一致させることができる映像再生レート変換装置を提供することである。
【００１１】
【課題を解決するための手段】
上述した目的を達成するために本発明は、第１フレームレートを有する第１映像信号を、第２フレームレートを有する第２映像信号に変換する映像再生レート変換装置であって、前記第１映像信号として、その信号中に前記第２フレームレートのフレームデータが一部重複された形態で順次配置されるとともに重複配置されるこれら第２フレームレートのフレームデータの中で有効となるフレームデータを特定する有効フレーム情報が重畳された映像信号を取り扱う映像再生レート変換装置において、
前記第１映像信号が記録された記録媒体を再生する再生器と、
前記再生器が再生する前記第１映像信号を前記第２映像信号に変換する変換器と、
前記再生器が再生を開始する記録媒体上の位置の調整に基づいて、前記変換器により前記第１映像信号から変換されて出力される前記第２映像信号の任意のフレーム位置を調整する同期調整器と、
前記再生器により再生される前記第１映像信号から前記有効フレーム情報を検出する有効フレーム情報検出器と、
前記有効フレーム情報に基づいて、有効となるフレーム位置が選択的に他のフレーム位置と異なるパルス周期信号からなる有効フレーム基準信号を生成する有効フレーム基準信号発生器と、
前記同期調整器により調整された前記第２映像信号の任意のフレーム位置が所定の同期時点に一致するように、前記有効フレーム基準信号の位相を調整する位相調整器と、
を備えており、
前記変換器は、前記位相調整器によって位相調整された有効フレーム基準信号に基づいて、前記第１映像信号から前記有効フレームを取り出して前記第２映像信号に変換するものである。
【００１２】
これにより、本発明では、前記再生器が再生を開始する記録媒体上の位置の調整（同期調整器が実施する）ではどうしても生じてしまう第２映像信号の任意のフレーム位置と所定の同期時点との間の位置誤差は、位相調整器が実施する有効フレーム基準信号の位相調整により精度高く調整されることになる。
【００１３】
【発明の実施の形態】
以下に説明する本発明の一実施の形態では、次のような場合を想定して本発明が実施される。
【００１４】
２４フレーム／秒のプログレッシブ映像信号（以下、２４ｐ映像信号という）に対して一次変換が実施されることで、６０フレーム／秒のプログレッシブ映像信号（以下、６０ｐ映像信号という）が生成される場合を想定する。この場合、一次変換後の映像信号（６０ｐ映像信号）を構成するフレームデータとして、元の映像信号（２４ｐ映像信号）を構成するフレームデータが重複して配置される。具体的には、元の映像信号（２４ｐ映像信号）の１フレーム分のフレームデータが一次変換後の映像信号（６０ｐ映像信号）の２フレーム分のフレームデータとして重複配置されるデータ領域と前記１フレーム分のフレームデータが３フレーム分のフレームデータとして重複配置されるデータ領域とを一組とするデータ領域組が、繰り返し配列されており、このようなデータ配列を行うことで上記一次変換が実施される。
【００１５】
このような一次変換が実施された映像信号（６０ｐ映像信号）を、元の映像信号（２４ｐ映像信号）に逆変換する場合において、本発明を好適に実施することができる。なお、この場合、一次変換後の映像信号（６０ｐ映像信号）が第１映像信号に相当し、そのフレームレート（６０フレーム／秒）が第１フレームレートに相当する。そして、逆変換後の元の映像信号（２４ｐ映像信号）が第２映像信号に相当し、そのフレームレート（２４フレーム／秒）が第２フレームレートに相当する。
【００１６】
しかしながら、このような第１，第２映像信号の組合せは本発明の実施の形態の一例に過ぎず、他のフレームレートを有する映像信号の組合せであっても同様に本発明を実施することができる。
【００１７】
まず、本実施形態の映像再生レート変換装置の構成が説明される。図１は、本実施形態の映像再生レート変換装置１の構成を示すブロック図である。
【００１８】
この映像再生レート変換装置１は、２４Ｈｚ同期基準信号発生器２と、再生器３と、有効フレーム情報検出器４と、２４Ｈｚ位相比較器５と、同期調整器６と、有効フレーム基準信号発生器７と、位相調整器８と、映像フォーマット変換器１０とを備えている。
【００１９】
２４Ｈｚ同期基準信号発生器２は、装置１の外部から供給される２４Ｈｚ同期信号Ｓ２４から２４Ｈｚ同期基準信号Ｓｓ２４を生成する。２４Ｈｚ同期基準信号発生器２は、２４Ｈｚ同期基準信号Ｓｓ２４を再生器３と２４Ｈｚ位相比較器５とに出力する。
【００２０】
再生器３は、一次変換後の映像信号（６０ｐ映像信号）が収録されたビデオテープＶＴを再生する。具体的には、再生器３は、６０Ｈｚ同期基準信号発生器２０と、再生器本体２１と、６０Ｈｚ位相比較器２２と、再生制御器２３とを備えている。再生器本体２１は、一次変換後の映像信号（６０ｐ映像信号）が収録されたビデオテープＶＴを再生する。６０Ｈｚ同期基準信号発生器２０は、２４Ｈｚ同期基準信号Ｓｓ２４に同期する６０Ｈｚ同期基準信号Ｓｓ６０を生成する。６０Ｈｚ同期基準信号発生器２０は、６０Ｈｚ同期基準信号Ｓｓ６０を６０Ｈｚ位相比較器２２に出力する。６０Ｈｚ位相比較器２２は、再生器本体２１で再生される一次変換後の映像信号（６０ｐ映像信号）から６０Ｈｚ同期基準信号を取り出す操作と、取り出した６０Ｈｚ同期基準信号と６０Ｈｚ同期基準信号発生器２０から入力される６０Ｈｚ同期基準信号Ｓｓ６０との比較操作とを実施する。６０Ｈｚ位相比較器２２は、比較結果を再生制御器２３に出力する。再生制御器２３は、６０Ｈｚ位相比較器２２から供給される比較結果に基づいて再生器本体２１の再生動作等を制御する。
【００２１】
有効フレーム情報検出器４は再生器３で再生される一次変換後の映像信号（６０ｐ映像信号）から有効フレーム情報を取り出して有効フレーム情報検出信号Ｆｖを生成する。２４Ｈｚ位相比較器５は、有効フレーム情報検出器４が生成した有効フレーム情報検出信号Ｆｖと、２４Ｈｚ基準同期信号発生器２が出力する２４Ｈｚ基準同期信号Ｓｓ２４との位相を比較して、その比較結果を位相補正制御器６に出力する。
【００２２】
有効フレーム基準信号発生器７は、有効フレーム情報検出器４が生成した有効フレーム情報検出信号Ｆｖから有効フレーム基準信号Ｆｓを発生させて位相調整器８に出力する。
【００２３】
位相調整器８は、有効フレーム基準信号Ｆｓの位相を調整したうえで、位相調整後の有効フレーム基準信号Ｆｓ’を映像フォーマット変換器１０に出力する。
【００２４】
同期調整器６は、２４Ｈｚ位相器５から供給される比較結果に基づいて再生制御器２３を制御する。具体的には、同期調整器６は、再生器本体２１によるビデオテープＶＴの早送り動作や巻き戻し動作や再生動作速度の補正等を実施することでビデオテープＶＴの再生開始位置の制御を行う。
【００２５】
映像フォーマット変換器１０は、再生器３が再生する一次変換後の映像信号（６０ｐ映像信号）を、位相調整後の有効フレーム基準信号Ｆｓ’に基づいて元の映像信号（２４ｐ映像信号）に逆変換する。
【００２６】
このような構成を有する映像再生レート変換装置１では、映像フォーマット変換器１０から変換器が構成されている。
【００２７】
以下、この映像再生レート変換装置１の動作を説明する。本実施形態のように、２４ｐ映像信号が６０ｐ映像信号に一次変換されている場合には、図２（ａ）に示すように、通常、２４ｐ映像信号の１フレーム分のフレームデータが６０ｐ映像信号の複数フレームのフレームデータとして重複配置される。なお、図２（ａ）では、各区画が６０ｐ映像信号の各フレーム領域を示し、各区画に記入された数字が２４ｐ映像信号の各フレームデータの通し番号を示している。
【００２８】
本実施形態では、このような重複配置処理が、次のようにして実施される。この映像変換処理では、６０Ｈｚ同期基準信号Ｓｓ６０に基づいて、
・２４ｐ映像信号の１フレーム分のフレームデータが６０ｐ映像信号の２フレーム分のフレームデータとして重複配置される第１の処理と、
・２４ｐ映像信号の１フレーム分のフレームデータが６０ｐ映像信号の３フレーム分のフレームデータとして重複配置される第２の処理と、
を一組とする一連の処理が順次実施されており、このような一連の処理の繰り返し実施により上記重複配置処理が実施される。
【００２９】
一次変換後の映像信号（６０ｐ映像信号）には、図２（ａ）に示すように、有効フレーム情報が添付されている。有効フレーム情報は次のような情報である。有効フレーム情報は、一次変換後の映像信号（６０ｐ映像信号）中に重複配置されている２４ｐ映像信号のフレームデータのうちで、２４ｐ映像信号を構成するフレームデータとして有効と規定するものを特定する情報である。有効フレーム情報は、例えば、タイムコード情報内に設けられたユーザーズビット（使用者が情報を書き込むことができるデータエリア）内に別途記録領域を設けて記録することができる。図２（ａ）では、有効フレーム情報は、各フレームを示す数字を○で囲むことで示している。
【００３０】
図２（ａ）においては、有効フレーム情報は、次のように設定されている。すなわち、２フレームが重複して配置されているデータ領域では各重複箇所の１フレーム目に有効フレーム情報が付与され、３フレームが重複して配置されているデータ領域では各重複箇所の２フレーム目に有効フレーム情報が付与されている。しかしながら、これは一例であって、２フレーム重複箇所、３フレーム重複箇所ともに、１フレーム目に有効フレーム情報が付与されていてもよい。要は、重複しているフレームのいずれかに有効フレーム情報が付与されていればよい。
【００３１】
映像再生レート変換装置１の動作に際しては、まず、ビデオテープＶＴが再生される。そして、再生器本体２１は、再生によりビデオテープＶＴから採取した映像信号を有効フレーム情報検出器４に出力する。有効フレーム情報検出器４は、一次変換後の映像信号（６０ｐ映像信号）から有効フレーム情報を検出する。有効フレーム情報検出器４は、検出した有効フレーム情報を元にして図２（ｂ）に示すように、有効フレーム情報検出信号Ｆｖを生成して出力する。有効フレーム情報検出信号Ｆｖは、有効フレームと規定されたフレーム位置だけ他のフレーム位置とは異なる信号形態を有している。図２（ｂ）は、その例であって、有効フレーム位置だけＨｉｇｈとなっている。有効フレーム情報検出器４は、生成した有効フレーム情報検出信号Ｆｖを２４Ｈｚ位相比較器５に出力する。
【００３２】
２４Ｈｚ位相比較器５は、２４Ｈｚ同期基準信号発生器２から供給される２４Ｈｚ同期基準信号Ｓｓ２４と、有効フレーム情報検出器４から供給される有効フレーム情報検出信号Ｆｖとの位相を比較してその比較結果を、同期調整器６と位相調整器８とに出力する。同期調整器６と位相調整器８とは、入力される２４Ｈｚ位相比較器５の比較結果を記憶する。
【００３３】
同期調整器６は、２４Ｈｚ位相比較器５から入力されて記憶した比較結果に基づいて再生位置調整信号Ｇを生成して、その再生位置調整信号Ｇを再生制御器２３に出力する。
【００３４】
再生制御器２３は、同期調整器６から入力される再生位置調整信号Ｇに基づいて再生器本体２１の早送り／巻き戻し動作や再生速度の補正等を実施する。これにより、再生器本体２１に装填されたビデオテープＶＴ上の再生開始点がテープ上の任意の位置に調整される。テープ位置調整は次のことを実施するために行われる。
【００３５】
すなわち、後に実施する映像フォーマット変換器１０によるフォーマット変換（逆変換）では、その変換処理に所定の時間がかかる。本実施形態の映像再生レート変換装置１の場合には、６０ｐ映像信号にして５フレーム分（＝１／１２秒）だけ、映像フォーマット変換器１０は処理時間を要する。
【００３６】
そこで、映像再生レート変換装置１は、映像フォーマット変換器１０から出力される元の映像信号（２４ｐ映像信号）の任意のフレーム位置（例えば、変換開始フレーム位置）を同期時点に同期させるために、ビデオテープＶＴのテープ位置調整処理を実施している。ここで、同期時点とは、次のようなタイミングをいう。
【００３７】
一次変換後の映像信号（６０ｐ映像信号）のフレームレート周波数と、逆変換後の映像信号（２４ｐ映像信号）のフレームレート周波数とは次のようにして同期している。すなわち、両映像信号のフレームレート周波数を同期させる（タイムコードの毎秒００カウントにおいて互いのフレームレート周波数が同期する）場合には、一次変換後の映像信号（６０ｐ映像信号）の５フレーム間隔（１／６０秒×５＝１／１２秒）と、逆変換後の映像信号（２４ｐ映像信号）の２フレーム間隔（１／２４秒×２＝１／１２秒）とにおいて、互いのフレームレート周波数が同期する。したがって、任意のＸ秒においては、Ｘ＋０／１２秒，Ｘ＋１／１２秒，Ｘ＋２／１２秒，Ｘ＋３／１２秒，…Ｘ＋１１／１２秒において、両映像信号のフレームレート周波数は同期する。このように、両映像信号のフレームレート周波数が同期する時点（ｔ０／１２，ｔ１／１２，ｔ２／１２，ｔ３／１２，…ｔ１１／１２、以下、総称してｔｘ／１２と称す）を同期時点という。
【００３８】
両映像信号のフレームレート周波数が上述した同期時点ｔｘ／１２でしか同期しないため、逆変換後の映像信号（２４ｐ映像信号）の任意のフレームデータは、Ｋ３同期時点ｔｘ／１２においてのみ、一次変換後の映像信号（６０ｐ映像信号）に同期させることができる。このような特性を有する同期時点ｔｘ／１２に、逆変換後の映像信号（２４ｐ映像信号）の任意のフレームデータを同期させるべく、映像再生レート変換装置１は、まず再生器本体２１でのテープ位置調整をを実施する。
【００３９】
しかしながら、再生器本体２１でのテープ位置調整はフレーム画像の再生が可能な最小単位でしか実施することができないうえに、６０ｐ映像信号は１／３０秒単位で記録媒体に格納されていることから、そのテープ位置調整は、２フレーム単位（１／３０秒単位）でしか実施することができない。そのため、再生器本体２１によるテープ位置調整では、フレーム単位時間（１／３０秒）より時間的に微小なテープ位置調整を実施することができない。
【００４０】
このような理由により、再生器本体２１によるテープ位置調整では、フォーマット変換で生成される逆変換後の映像信号（２４ｐ映像信号）の任意のフレーム位置（例えば、変換開始フレーム位置）を同期時点ｔｘ／１２に正確に一致させることができない。このことを考慮して再生器本体２１によるテープ位置調整は、テープ再生後に実施されるフォーマット変換で生成される逆変換後の映像信号（２４ｐ映像信号）の任意のフレーム位置（例えば、変換開始フレーム位置）が同期時点ｔｘ／１２より時間的に若干早くなるように実施される。さらにテープ位置調整に際しては、次に実施される位相調整器８による有効フレーム基準信号Ｆｓの位相調整によって任意のフレーム位置（変換開始フレーム位置等）が同期時点ｔｘ／１２に一致するように、テープ位置が調整される。テープ位置調整の詳細については後述する。
【００４１】
同期調整器６によるビデオテープＶＴの再生開始点調整処理が終了したのちの動作を引き続き説明する。再生器本体２１はビデオテープＶＴの再生を開始する。再生器本体２１で再生された一次変換後の映像信号（６０ｐ映像信号）は、有効フレーム情報検出器４と映像フォーマット変換器１０とに入力される。
【００４２】
有効フレーム情報検出器４は、同期調整器６による調整処理実施後に再生された一次変換後の映像信号（６０ｐ映像信号）から有効フレーム情報を取り出す。有効フレーム情報検出器４は、検出した有効フレーム情報を元にして図２（ｂ）に示す有効フレーム情報検出信号Ｆｖを生成する。有効フレーム情報検出器４は、同期調整器６による調整処理後の再生に基づいて生成した有効フレーム情報検出信号Ｆｖを有効フレーム基準信号発生器７に出力する。
【００４３】
有効フレーム基準信号発生器７は、有効フレーム情報検出器４から供給される有効フレーム情報検出信号Ｆｖに基づいて有効フレーム基準信号Ｆｓを生成する。有効フレーム基準信号発生器７は、生成した有効フレーム基準信号Ｆｓを位相調整器８に出力する。
【００４４】
有効フレーム基準信号Ｆｓは、次のような信号である。すなわち、一次変換後の映像信号（６０ｐ映像信号）においては、図２（ａ）に示すように、２フレーム重複配置された２フレーム領域と、３フレーム重複配置された３フレーム領域との組合せからなる５フレーム領域が順次配置されている。有効フレーム基準信号Ｆｓは、図２（ｃ）に示すように、一次変換後の映像信号（６０ｐ映像信号）を構成する基本単位である上記５フレーム領域の先頭位置（具体的には、２フレーム重複領域の先頭位置）を選択的に他のフレーム領域とは異なる信号形態（例えば、ここだけＨｉｇｈ状態）としたパルス信号である。
【００４５】
位相調整器８は、有効フレーム基準信号Ｆｓの位相を調整する。位相の調整量は、位相調整器８が記憶している２４Ｈｚ位相比較器５の比較結果に基づいて設定される。位相調整器８は、位相調整した有効フレーム基準信号Ｆｓ’を映像フォーマット変換器１０に出力する。以下、位相調整器８の動作の理解を深めるために、その動作の概略を説明する。
【００４６】
再生された一次変換後の映像信号（６０ｐ映像信号）を元の映像信号（２４ｐ映像信号）に逆変換する際においては、有効フレーム基準信号Ｆｓの位相（有効フレームの位置）を調整することで、一次変換後の映像信号（６０ｐ映像信号）の位相を擬似的に微小調整することができる。このような有効フレーム基準信号Ｆｓの位相調整を実施するに際して位相調整量は、次のようにして算定される。
【００４７】
上述したように、再生器本体２１によるテープ位置調整においては、微小なテープ位置調整を実施することができない。そのため、同期調整器６による再生器本体２１でのテープ位置調整だけでは、フォーマット変換で生成される逆変換後の映像信号（２４ｐ映像信号）の任意のフレーム位置（例えば、変換開始フレーム位置）を所定の同期時点に正確に一致させることはできない。
【００４８】
そこで、映像再生レート変換装置１では、テープ位置調整だけでは埋めることができない逆変換後の映像信号（２４ｐ映像信号）の任意のフレーム位置と任意の同期時点との間の上記誤差を、位相調整器８が有効フレーム基準信号Ｆｓの位相を調整することで解消させている。有効フレーム基準信号Ｆｓの位相調整量は、任意のフレーム位置と任意の同期時点との間の上記誤差を解消しうる値に設定される。さらに位相調整器８による上記誤差調整が可能となるように、再生器本体２１によるテープ位置調整（同期調整器６が実施する）は実施される。
【００４９】
映像フォーマット変換器１０は、入力される有効フレーム基準信号Ｆｓ’を基にして、一次変換後の映像信号（６０ｐ映像信号）を元の映像信号（２４ｐ映像信号）に逆変換する。
【００５０】
逆変換処理は、例えば次のように実施される。映像フォーマット変換器１０は、まず、一次変換後の映像信号（６０ｐ映像信号）中にある全てのフレームデータから有効フレームと規定されるフレームデータを特定して抜き出す。特定に際しては、有効フレーム基準信号Ｆｓ’を特定の基準点にする。具体的には、有効フレーム基準信号ＦｓがＨｉｇｈとなった時点のフレームデータと、Ｈｉｇｈとなった時点から３フレーム後に位置するフレームデータとを有効フレームとして特定して抜き出す。そして、抜き出した一次変換後の映像信号（６０ｐ映像信号）のフレームデータを元の映像信号（２４ｐ映像信号）のフレームレートに沿って順次配置することで映像フォーマット変換器１０は逆変換を実施する。
【００５１】
このような逆変換処理動作を行う映像再生レート変換装置１において、上述したビデオテープＶＴの再生位置調整処理と、有効フレーム基準信号Ｆｓ’の位相調整処理とにより、逆変換後の映像信号（２４ｐ映像信号）の任意のフレーム位置（例えば、変換開始フレーム位置）を同期時点ｔｘ／１２に正確に一致させる。
【００５２】
次に、映像再生レート変換装置１による再生レート変換（フォーマット変換）の詳細を図２〜図８を参照して説明する。なお、図４〜図８において黒三角形は、以下の説明における基準位置となる有効フレーム基準信号Ｆｓによって示される有効フレームの一つを示している。
【００５３】
一次変換後の映像信号（６０ｐ映像信号）を構成する各フレームデータは、同期時点ｔｘ／１２に対して次のような位置関係を有している。すなわち、一次変換後の映像信号（６０ｐ映像信号）においては、図２（ａ）に示すように、データ領域組（計５フレーム）Ｄが順次繰り返し配置されている。データ領域組Ｄは、データ領域ｄ１とデータ領域ｄ２とを組み合わせて構成されている。
【００５４】
データ領域ｄ１は、元の映像信号（２４ｐ映像信号）の１フレーム分のフレームデータが一次変換後の映像信号（６０ｐ映像信号）の２フレーム分のフレームデータとして重複配置されたデータ領域である。データ領域ｄ２は、前記１フレーム分のフレームデータが３フレーム分のフレームデータとして重複配置されるデータ領域である。
【００５５】
データ領域組Ｄがこのように構成されているため、同期時点ｔｘ／１２が、このデータ領域組Ｄ内のどの時点を横切るかにより、図３（ａ）〜図３（ｅ）に示す５パターンが存在する。図３（ａ）は、同期時点ｔｘ／１２がデータ領域組Ｄの両端を横切るバターンである。図３（ｂ）は、同期時点ｔｘ／１２がデータ領域組Ｄの端から１フレーム分時間的に進んだ位置を横切るパターンである。図３（ｃ）は、同期時点ｔｘ／１２がデータ領域組Ｄの端から２フレーム分時間的に進んだ位置を横切るパターンである。図３（ｄ）は、同期時点ｔｘ／１２がデータ領域組Ｄの端から３フレーム分時間的に進んだ位置を横切るパターンである。図３（ｅ）は、同期時点ｔｘ／１２がデータ領域組Ｄの端から４フレーム分時間的に進んだ位置を横切るパターンである。
【００５６】
２４Ｈｚ位相比較器５は、２４Ｈｚ同期基準信号Ｓｓ２４と有効フレーム情報とを比較することで、同期時点ｔｘ／１２が同期調整器６による調整処理実施前に再生している一次変換後の映像信号（６０ｐ映像信号）のどの時点を横切るかを判断する。これにより、２４Ｈｚ位相比較器５は、再生状態が図３（ａ）〜図３（ｅ）のどのパターンであるのかを示す比較結果を同期調整器６と位相調整器８とに供給する。
【００５７】
同期調整器６と位相調整器８とは、上述した２４Ｈｚ位相比較器５の比較結果に基づいて映像フォーマット変換器１０の出力である逆変換後の映像信号（２４ｐ映像信号）の位相を同期時点ｔｘ／１２に合わせ込む。
【００５８】
ここで、逆変換後の映像信号（２４ｐ映像信号）を同期時点ｔｘ／１２に同期させるには、基本的には、上述したデータ領域組Ｄ中において先に位置する有効フレームを同期時点ｔｘ／１２に同期させる。したがって、以下の説明では、データ領域組Ｄ中において先に位置する有効フレームを同期時点ｔｘ／１２に同期させることを前提にして本実施形態の動作説明が行われる。
【００５９】
まず、データ領域ｄ１にある有効フレームを同期対象とする制御動作を図４，図５を参照して説明する。
【００６０】
同期時点ｔｘ／１２がデータ領域組Ｄの両端を横切る［図３（ａ）］の場合
この場合において、上述したデータ領域ｄ１にある有効フレームを同期時点ｔｘ／１２に同期させることは容易である。すなわち、このような同期要求を満足させようとする場合には、同期調整器６によるテープ位置調整と位相調整器８による有効フレーム基準信号Ｆｓの位相調整とを実施することなく、映像フォーマット変換器１０で一次変換後の映像信号（６０ｐ映像信号）を２４ｐ映像信号にフォーマット変換すればよい。そうすれば、データ領域ｄ１にある有効フレーム（番号１，３，…のフレームデータ）が同期時点ｔｘ／１２に同期する。
【００６１】
同期時点ｔｘ／１２がデータ領域組Ｄの端から１フレーム分時間的に進んだ位置を横切る［図３（ｂ）］の場合
この場合において上述したデータ領域ｄ１にある有効フレームを同期時点ｔｘ／１２に同期させるには、図４に示される制御が実施される。
【００６２】
この場合においては、図４（ｂ）に示されるように、再生器本体２１によって６０ｐ映像信号の２フレーム分だけビデオテープＶＴを時間的に進める処理が同期調整器６で行われる。さらには、有効フレーム基準信号Ｆｓの位相を、１フレーム分遅らせる調整処理が位相調整器８で行われる。
【００６３】
このようなビデオテープＶＴの時間的進行処理と有効フレーム基準信号Ｆｓの位相調整処理とを実施しても、本来設定されていたデータ領域組Ｄにおけるデータ領域ｄ１，ｄ２の位置関係はそのまま維持される。すなわち、図４（ａ）に示されるように、本来、データ領域ｄ１が先で、データ領域ｄ２が後の位置関係にあったデータ位置関係は、図４（ｃ）に示されるように、そのまま維持される。具体的には、有効フレーム基準信号Ｆｓの位相調整後に（３−４−４−４−５）と配置されたデータ領域組Ｄ’において、先に位置する（３−４）のデータ領域がデータ領域ｄ１’となり、後に位置する（４−４−５）のデータ領域がデータ領域ｄ２’となる。このとき、有効フレーム基準信号Ｆｓの位相変動によって（３−４）のデータ領域ｄ１’の先頭位置（３）と、（４−４−５）のデータ領域ｄ２’の中央位置（４）とが有効フレームとなる。そのため、データ領域組Ｄの構成を擬似的に変動させたとしても、有効フレームの有効性（すなわち、有効フレームデータの連続性）が維持される。
【００６４】
以上の処理が実施されたのち、一次変換後の映像信号（６０ｐ映像信号）が映像フォーマット変換器１０でフォーマット変換される。このとき、映像フォーマット変換器１０は位相調整後の有効フレーム基準信号Ｆｓ’を用いてフォーマット変換を実施する。そうすれば、逆変換後の映像信号（２４ｐ映像信号）において、データ領域ｄ１の有効フレーム（番号１，３，…のフレームデータ）が同期時点ｔｘ／１２に同期する。
【００６５】
同期時点ｔｘ／１２がデータ領域組Ｄの端から２フレーム分時間的に進んだ位置を横切る［図３（ｃ）］の場合
この場合において、上述したデータ領域ｄ１にある有効フレームを同期時点ｔｘ／１２に同期させることは容易である。すなわち、このような同期要求を満足させようとする場合には、再生器本体２１によって６０ｐ映像信号の２フレーム分だけビデオテープＶＴを時間的に進める処理が同期調整器６で行われるものの、位相調整器８において有効フレーム基準信号Ｆｓの位相調整は行われない。
【００６６】
そして、再生位置調整が行われた一次変換後の映像信号（６０ｐ映像信号）が映像フォーマット変換器１０で２４ｐ映像信号にフォーマット変換される。このとき、映像フォーマット変換器１０は位相調整されていない有効フレーム基準信号Ｆｓによりフォーマット変換される。。そうすれば、データ領域ｄ１にある有効フレーム（番号１，３，…のフレームデータ）が同期時点ｔｘ／１２に同期する。
【００６７】
同期時点ｔｘ／１２がデータ領域組Ｄの端から３フレーム分時間的に進んだ位置を横切る［図３（ｄ）］の場合
この場合において上述したデータ領域ｄ１にある有効フレームを同期時点ｔｘ／１２に同期させるには、図５に示される制御が実施される。
【００６８】
この場合においては、図５（ｂ）に示されるように、再生器本体２１によって６０ｐ映像信号の４フレーム分だけビデオテープＶＴを時間的に進める処理が同期調整器６で行われる。さらには、有効フレーム基準信号Ｆｓの位相を、１フレーム分遅らせる調整処理が位相調整器８で行われる。
【００６９】
このようなビデオテープＶＴの時間的進行処理と有効フレーム基準信号Ｆｓの位相調整処理とにより、本来設定されていたデータ領域組Ｄにおけるデータ領域ｄ１，ｄ２の位置関係はそままま維持される。すなわち、図５（ａ）に示されるように、本来、データ領域ｄ１が先で、データ領域ｄ２が後の位置関係にあったデータ位置関係が、図５（ｃ）に示されるように、そのまま維持される。このとき、有効フレーム基準信号Ｆｓの位相調整後に（３−４−４−４−５）と配置されたデータ領域組Ｄ’において、先に位置する（３−４）のデータ領域がデータ領域ｄ１’となり、後に位置する（４−４−５）のデータ領域がデータ領域ｄ２’となる。このとき、有効フレーム基準信号Ｆｓの位相変動によって（３−４）のデータ領域ｄ１’の先頭位置（３）と、（４−４−５）データ領域ｄ２’の中央位置（４）とが有効フレームとなる。そのため、データ領域組Ｄの構成を擬似的に変動させたとしても、有効フレームの有効性（すなわち、有効フレームデータの連続性）が維持される。
【００７０】
以上の処理が実施されたのち、一次変換後の映像信号（６０ｐ映像信号）が映像フォーマット変換器１０でフォーマット変換される。このとき、映像フォーマット変換器１０は位相調整後の有効フレーム基準信号Ｆｓ’を用いてフォーマット変換を実施する。そうすれば、逆変換後の映像信号（２４ｐ映像信号）において、データ領域ｄ１の有効フレーム（番号１，３，…のフレームデータ）が同期時点ｔｘ／１２に同期する。
【００７１】
同期時点ｔｘ／１２がデータ領域組Ｄの端から４フレーム分時間的に進んだ位置を横切る［図３（ｅ）］の場合
この場合において、上述したデータ領域ｄ１にある有効フレームを同期時点ｔｘ／１２に同期させることは容易である。すなわち、このような同期要求を満足させようとする場合には、再生器本体２１によって６０ｐ映像信号の４フレーム分だけビデオテープＶＴを時間的に進める処理が同期調整器６で行われるものの、位相調整器８において有効フレーム基準信号Ｆｓの位相調整は行われない。
【００７２】
そして、再生位置調整が行われた一次変換後の映像信号（６０ｐ映像信号）が映像フォーマット変換器１０で２４ｐ映像信号にフォーマット変換される。このとき、映像フォーマット変換器１０は位相調整されていない有効フレーム基準信号Ｆｓによりフォーマットフォーマット変換される。そうすれば、データ領域ｄ１にある有効フレーム（番号１，３，…のフレームデータ）が同期時点ｔｘ／１２に同期する。
【００７３】
次に、データ領域ｄ２にある有効フレームを同期対象とする制御動作が図６〜図１０を参照して説明される。
【００７４】
同期時点ｔｘ／１２がデータ領域組Ｄの両端を横切る［図３（ａ）］の場合
この場合、上述したデータ領域ｄ２にある有効フレームを同期時点ｔｘ／１２に同期させる場合には、図６に示される制御が実施される。
【００７５】
この場合においては、図６（ｂ）に示されるように、再生器本体２１によって６０ｐ映像信号の２フレーム分だけビデオテープＶＴを時間的に進める処理が同期調整器６で行われる。さらには、有効フレーム基準信号Ｆｓの位相を、２フレーム分遅らせる調整処理が位相調整器８で行われる。
【００７６】
このようなビデオテープＶＴの時間的進行処理と有効フレーム基準信号Ｆｓの位相調整処理とにより、本来設定されていたデータ領域組Ｄにおけるデータ領域ｄ１，ｄ２の位置関係が擬似的に逆になる。すなわち、図６（ａ）に示されるように、本来、データ領域ｄ１が先で、データ領域ｄ２が後の位置関係にあったデータ位置関係が、図６（ｃ）に示されるように、擬似的にデータ領域ｄ２が先で、データ領域ｄ１が後の位置関係になる。この場合、（４−４−４−５−５）と配置されたデータ領域組Ｄにおいて、先に位置する（４−４）のデータ領域がデータ領域ｄ１’となり、後に位置する（４−５−５）のデータ領域がデータ領域ｄ２’となる。このとき、有効フレーム基準信号Ｆｓの位相変動によって（４−４）のデータ領域ｄ１’の先頭位置（４）と、（４−５−５）のデータ領域ｄ２’の中央位置（５）とが有効フレームとなる。そのため、データ領域ｄ１，ｄ２の位置関係を擬似的に変動させたとしても、有効フレームの有効性（すなわち、有効フレームデータの連続性）が維持される。
【００７７】
以上の処理が実施されたのち、一次変換後の映像信号（６０ｐ映像信号）が映像フォーマット変換器１０でフォーマット変換される。このとき、映像フォーマット変換器１０は位相調整後の有効フレーム基準信号Ｆｓ’を用いてフォーマット変換を実施する。そうすれば、逆変換後の映像信号（２４ｐ映像信号）において、データ領域ｄ２の有効フレーム（番号２，４，…のフレームデータ）が同期時点ｔｘ／１２に同期する。
【００７８】
同期時点ｔｘ／１２がデータ領域組Ｄの端から１フレーム分時間的に進んだ位置を横切る［図３（ｂ）］の場合
この場合において上述したデータ領域ｄ２にある有効フレームを同期時点ｔｘ／１２に同期させるには、図７に示される制御が実施される。
【００７９】
この場合においては、図７（ｂ）に示されるように、再生器本体２１によって６０ｐ映像信号の４フレーム分だけビデオテープＶＴを時間的に進める処理が同期調整器６で行われる。さらには、有効フレーム基準信号Ｆｓの位相を、３フレーム分遅らせる調整処理が位相調整器８で行われる。
【００８０】
このようなビデオテープＶＴの時間的進行処理と有効フレーム基準信号Ｆｓの位相調整処理とにより、本来設定されていたデータ領域組Ｄにおけるデータ領域ｄ１，ｄ２の位置関係が擬似的に逆になる。すなわち、図７（ａ）に示されるように、本来、データ領域ｄ１が先で、データ領域ｄ２が後の位置関係にあったデータ位置関係が、図７（ｃ）に示されるように、擬似的にデータ領域ｄ２が先で、データ領域ｄ１が後の位置関係になる。有効フレーム基準信号Ｆｓの位相調整後に（４−４−５−５−６）と配置されたデータ領域組Ｄ’において、先に位置する（４−４）のデータ領域がデータ領域ｄ１’となり、後に位置する（５−５−６）のデータ領域がデータ領域ｄ２’となる。このとき、有効フレーム基準信号Ｆｓの位相変動によって（４−４）のデータ領域ｄ１’の先頭位置（４）と、（５−５−６）のデータ領域ｄ２’の中央位置（５）とが有効フレームとなる。そのため、データ領域ｄ１，ｄ２の位置関係を擬似的に変動させたとしても、有効フレームの有効性（すなわち、有効フレームデータの連続性）が維持される。
【００８１】
以上の処理が実施されたのち、一次変換後の映像信号（６０ｐ映像信号）が映像フォーマット変換器１０でフォーマット変換される。このとき、映像フォーマット変換器１０は位相調整後の有効フレーム基準信号Ｆｓ’を用いてフォーマット変換を実施する。そうすれば、逆変換後の映像信号（２４ｐ映像信号）において、データ領域ｄ２の有効フレーム（番号２，４，…のフレームデータ）が同期時点ｔｘ／１２に同期する。
【００８２】
同期時点ｔｘ／１２がデータ領域組Ｄの端から２フレーム分時間的に進んだ位置を横切る［図３（ｃ）］の場合
これに対して、上述したデータ領域ｄ２にある有効フレームを同期時点ｔｘ／１２に同期させる場合には、図８に示される制御が実施される。
【００８３】
この場合においては、図８（ｂ）に示されるように、再生器本体２１によって６０ｐ映像信号の４フレーム分だけビデオテープＶＴを時間的に進める処理が同期調整器６で行われる。さらには、有効フレーム基準信号Ｆｓの位相を、２フレーム分遅らせる調整処理が位相調整器８で行われる。
【００８４】
このようなビデオテープＶＴの時間的進行処理と有効フレーム基準信号Ｆｓの位相調整処理とにより、本来設定されていたデータ領域組Ｄにおけるデータ領域ｄ１，ｄ２の位置関係が擬似的に逆になる。すなわち、図８（ａ）に示されるように、本来、データ領域ｄ１が先で、データ領域ｄ２が後の位置関係にあったデータ位置関係が、図８（ｃ）に示されるように、擬似的にデータ領域ｄ２が先で、データ領域ｄ１が後の位置関係になる。有効フレーム基準信号Ｆｓの位相調整後に（４−４−４−５−５）と配置されたデータ領域組Ｄ’において、先に位置する（４−４）のデータ領域がデータ領域ｄ１’となり、後に位置する（４−５−５）のデータ領域がデータ領域ｄ２’となる。このとき、有効フレーム基準信号Ｆｓの位相変動によって（４−４）のデータ領域ｄ１’の先頭位置（４）と、（４−５−５）データ領域ｄ２’の中央位置（５）とが有効フレームとなる。そのため、データ領域ｄ１，ｄ２の位置関係を擬似的に変動させたとしても、有効フレームの有効性（すなわち、有効フレームデータの連続性）が維持される。
【００８５】
以上の処理が実施されたのち、一次変換後の映像信号（６０ｐ映像信号）が映像フォーマット変換器１０でフォーマット変換される。このとき、映像フォーマット変換器１０は位相調整後の有効フレーム基準信号Ｆｓ’を用いてフォーマット変換を実施する。そうすれば、逆変換後の映像信号（２４ｐ映像信号）において、データ領域ｄ２の有効フレーム（番号２，４，…のフレームデータ）が同期時点ｔｘ／１２に同期する。
【００８６】
同期時点ｔｘ／１２がデータ領域組Ｄの端から３フレーム分時間的に進んだ位置を横切る［図３（ｄ）］の場合
また、この場合において上述したデータ領域ｄ２にある有効フレームを同期時点ｔｘ／１２に同期させるには、図９に示される制御が実施される。
【００８７】
この場合においては、図９（ｂ）に示されるように、再生器本体２１によって６０ｐ映像信号の６フレーム分だけビデオテープＶＴを時間的に進める処理が同期調整器６で行われる。さらには、有効フレーム基準信号Ｆｓの位相を、３フレーム分遅らせる調整処理が位相調整器８で行われる。
【００８８】
このようなビデオテープＶＴの時間的進行処理と有効フレーム基準信号Ｆｓの位相調整処理とにより、本来設定されていたデータ領域組Ｄにおけるデータ領域ｄ１，ｄ２の位置関係が擬似的に逆になる。すなわち、図９（ａ）に示されるように、本来、データ領域ｄ１が先で、データ領域ｄ２が後の位置関係にあったデータ位置関係が、図７（ｃ）に示されるように、擬似的にデータ領域ｄ２が先で、データ領域ｄ１が後の位置関係になる。有効フレーム基準信号Ｆｓの位相調整後に（４−４−５−５−６）と配置されたデータ領域組Ｄ’において、先に位置する（４−４）のデータ領域がデータ領域ｄ１’となり、後に位置する（５−５−６）のデータ領域がデータ領域ｄ２’となる。このとき、有効フレーム基準信号Ｆｓの位相変動によって（４−４）のデータ領域ｄ１’の先頭位置（４）と、（５−５−６）データ領域ｄ２’の中央位置（５）とが有効フレームとなる。そのため、データ領域ｄ１，ｄ２の位置関係を擬似的に変動させたとしても、有効フレームの有効性（すなわち、有効フレームデータの連続性）が維持される。
【００８９】
以上の処理が実施されたのち、一次変換後の映像信号（６０ｐ映像信号）が映像フォーマット変換器１０でフォーマット変換される。このとき、映像フォーマット変換器１０は位相調整後の有効フレーム基準信号Ｆｓ’を用いてフォーマット変換を実施する。そうすれば、逆変換後の映像信号（２４ｐ映像信号）において、データ領域ｄ２の有効フレーム（番号２，４，…のフレームデータ）が同期時点ｔｘ／１２に同期する。
【００９０】
同期時点ｔｘ／１２がデータ領域組Ｄの端から４フレーム分時間的に進んだ位置を横切る［図３（ｅ）］の場合
この場合、上述したデータ領域ｄ２にある有効フレームを同期時点ｔｘ／１２に同期させる場合には、図１０に示される制御が実施される。
【００９１】
この場合においては、図１０（ｂ）に示されるように、再生器本体２１によって６０ｐ映像信号の６フレーム分だけビデオテープＶＴを時間的に進める処理が同期調整器６で行われる。さらには、有効フレーム基準信号Ｆｓの位相を、２フレーム分遅らせる調整処理が位相調整器８で行われる。
【００９２】
このようなビデオテープＶＴの時間的進行処理と有効フレーム基準信号Ｆｓの位相調整処理とにより、本来設定されていたデータ領域組Ｄにおけるデータ領域ｄ１，ｄ２の位置関係が擬似的に逆になる。すなわち、図１０（ａ）に示されるように、本来、データ領域ｄ１が先で、データ領域ｄ２が後の位置関係にあったデータ位置関係が、図１０（ｃ）に示されるように、擬似的にデータ領域ｄ２が先で、データ領域ｄ１が後の位置関係になる。有効フレーム基準信号Ｆｓの位相調整後に（４−４−４−５−５）と配置されたデータ領域組Ｄ’において、先に位置する（４−４）のデータ領域がデータ領域ｄ１’となり、後に位置する（４−５−５）のデータ領域がデータ領域ｄ２’となる。このとき、有効フレーム基準信号Ｆｓの位相変動によって（４−４）のデータ領域ｄ１’の先頭位置（４）と、（４−５−５）データ領域ｄ２’の中央位置（５）とが有効フレームとなる。そのため、データ領域ｄ１，ｄ２の位置関係を擬似的に変動させたとしても、有効フレームの有効性（すなわち、有効フレームデータの連続性）が維持される。
【００９３】
以上の処理が実施されたのち、一次変換後の映像信号（６０ｐ映像信号）が映像フォーマット変換器１０でフォーマット変換される。このとき、映像フォーマット変換器１０は位相調整後の有効フレーム基準信号Ｆｓ’を用いてフォーマット変換を実施する。そうすれば、逆変換後の映像信号（２４ｐ映像信号）において、データ領域ｄ２の有効フレーム（番号２，４，…のフレームデータ）が同期時点ｔｘ／１２に同期する。
【００９４】
【発明の効果】
以上説明したように、本発明によれば、第２映像信号の任意のフレーム位置を所定の同期時点に精度高く一致させることができる。
【００９５】
しかも、位相調整器というソフトウエア的に構成することができる構成要素を付加するだけで上記同期調整を実施することができるために構造的に新たに付け加える部品が要らない。これにより、コストアップや装置の大型化や重量化を招くことなく同期時点の調整を実施することができる。
【図面の簡単な説明】
【図１】本発明の一実施形態の映像再生レート変換装置の構成を示すブロック図である。
【図２】一次変換後の映像信号（６０ｐ映像信号）の構成と、有効フレーム情報検出信号Ｆｖと、有効フレーム基準信号Ｆｓの構成を示す図である。
【図３】一次変換後の映像信号（６０ｐ映像信号）の位相を示す図である。
【図４】逆変換時の状態のうちの一つを示す図である。
【図５】逆変換時の状態の他の一つを示す図である。
【図６】逆変換時の状態の他の一つを示す図である。
【図７】逆変換時の状態の他の一つを示す図である。
【図８】逆変換時の状態の他の一つを示す図である。
【図９】逆変換時の状態の他の一つを示す図である。
【図１０】逆変換時の状態の他の一つを示す図である。
【符号の説明】
１  映像再生レート変換装置    ２  ２４Ｈｚ同期基準信号発生器
３  再生器        ４  有効フレーム情報検出器
５  ２４Ｈｚ位相比較器    ６  同期調整器
７  有効フレーム基準信号発生器  ８  位相調整器
１０  映像フォーマット変換器    ２０  ６０Ｈｚ同期基準信号発生器
２１  再生器本体      ２２  ６０Ｈｚ位相比較器
２３  再生制御器      Ｆｖ  有効フレーム情報
Ｆｓ  有効フレーム基準信号    Ｓｓ６０  ６０Ｈｚ同期基準信号
Ｓｓ２４  ２４Ｈｚ基準同期信号    ｔｘ／１２  同期ポイント
Ｇ  再生位置調整信号      Ｄ  データ領域組
ｄ１  データ領域      ｄ２  データ領域
【図１】
2004180133.tif 000003
【図２】
2004180133.tif 000004
【図３】
2004180133.tif 000005
【図４】
2004180133.tif 000006
【図５】
2004180133.tif 000007
【図６】
2004180133.tif 000008
【図７】
2004180133.tif 000009
【図８】
2004180133.tif 000010
【図９】
2004180133.tif 000011
【図１０】
2004180133.tif 000012